(57)【要約】【課題】ユーザが手動的に画像処理にかかる設定を行うことを支援し、容易かつ迅速に所望の設定に至ることができる画像処理条件設定装置を備えた画像処理装置を提供する。【解決手段】画像処理部と、第１の画像処理設定で画像処理を受けた第１の画像データを保持する画像データ保持部と、第１の画像処理設定を保持する画像処理データ保持部と、第１の画像データと第１の画像処理設定とを関連付ける第１の関連付けデータを保持する関連付けデータ保持部と、画像を表示する表示部と、ユーザからの指示の入力を受け付ける入力部と、を有し、表示部は、第１の画像データに基づく画像を含む画面を表示し、入力部は、表示部の表示画面に対応してユーザの選択指示の入力を受け付け、画像処理部は、入力部が第１の画像データに基づく画像を選択する選択指示を受けた場合には、第１の画像処理設定のもとで画像データに新たな画像処理を実行する、画像処理装置。【選択図】図４
2010074478.tif 000002
【特許請求の範囲】
【請求項１】
画像データに対して画像処理を行う画像処理部と、
第１の画像処理設定のもとで画像処理を受けた第１の画像データを保持する画像データ保持部と、
第１の画像処理設定のデータを保持する画像処理データ保持部と、
前記第１の画像データと前記第１の画像処理設定のデータとを関連付ける第１の関連付けデータを保持する関連付けデータ保持部と、
画像を表示する表示部と、
ユーザからの指示の入力を受け付ける入力部と、を有し、
前記表示部は、前記第１の画像データに基づく画像を含む画面を表示し、
前記入力部は、前記表示部の表示画面に対応してユーザの選択指示の入力を受け付け、
前記画像処理部は、前記入力部が前記第１の画像データに基づく画像を選択する選択指示の入力を受け付けた場合には、前記第１の画像処理設定のもとで画像データに新たな画像処理を実行する、画像処理装置。
【請求項２】
さらに、画像処理を受けた画像データのカテゴリを判別する画像カテゴリ判別部と、
前記画像カテゴリ判別部がした判別結果を保持する画像カテゴリーデータ保持部と、
前記入力部が受け付けた画像データに対する選択指示の回数を、複数の画像データについて個別に計数する画像選択頻度計数部と、
前記計数の結果を示す画像選択頻度データを各画像データごとに保持する画像選択頻度データ保持部と、を有し、
前記表示部は、同一のカテゴリに属する画像のデータに基づく複数の画像を、前記画像選択頻度データにもとづく順序で表示する、請求項１に記載の画像処理装置。
【請求項３】
前記入力部は、前記表示部に表示された前記複数の画像から、２以上の画像を選択する選択指示を入力することができ、
前記画像処理部は、前記入力部が前記第１の画像データに基づく画像および第２の画像データに基づく画像を選択する選択指示の入力を受け付けた場合には、前記第１の画像処理設定および前記第２の画像データにかかる画像処理の画像処理設定である第２の画像処理設定にもとづいて第３の画像処理設定を設定し画像データに新たな画像処理を実行する、請求項１に記載の画像処理装置。
【請求項４】
前記画像処理部は、前記第１の画像処理設定および前記第２の画像処理設定との間で、設定項目同士に不整合が生じている場合には、不整合が生じている旨を前記表示部に表示させ、かつ、前記第１の画像処理設定および前記第２の画像処理設定との間に予め設定された優先度に基づいて、優先される画像処理設定の設定を前記不整合にかかる設定項目について設定し、前記不整合を解消する、請求項３に記載の画像処理装置。
【請求項５】
前記表示部は、前記第１の画像処理設定を表示することができ、前記第１の画像処理設定に含まれる各設定項目のうちでデフォルトの設定値と異なる設定値を有する設定項目についてデフォルトの設定値を有する設定項目と表示形態を異ならせて表示する、請求項１に記載の画像処理装置。
【請求項６】
前記画像処理は、印刷出力を伴う画像処理である、請求項１に記載の画像処理装置。
【請求項７】
前記画像処理は、原稿画像のスキャンであって、
前記画像処理部は、前記入力部が前記第１の画像データに基づく画像を選択する選択指示の入力を受け付けた場合には、前記第１の画像データに対する前記第１の画像処理設定のもとでの画像処理の前後における画質の変化と、前記原稿画像に対する前記第１の画像処理設定のもとでの画像処理の前後における画質の変化とを導出し、当該第１の画像データおよび原稿画像の画質の変化に基づいて、前記原稿画像に対する前記第１の画像処理設定のもとでの画像処理の妥当性を評価する、請求項１に記載の画像処理装置。
【請求項８】
前記妥当性の評価は、前記画像処理の前後における、シャープネス、濃度、コントラスト、トーンカーブ、地色除去、および、カラーバランスの少なくともいずれかの変化についての評価である、請求項７に記載の画像処理装置。
【請求項９】
前記妥当性の評価にもとづき、前記表示部は、前記第１の画像データに基づく画像以外の画像を含む画面を表示する、請求項８に記載の画像処理装置。
【請求項１０】
画像処理部が、画像処理を行うステップと、
画像データ保持部が、第１の画像処理設定のもとで画像処理を受けた第１の画像データを保持するステップと、
画像処理データ保持部が、第１の画像処理設定のデータを保持するステップと、
関連付けデータ保持部が、前記第１の画像データと前記第１の画像処理設定のデータとを関連付ける第１の関連付けデータを保持するステップと、
表示部が、前記第１の画像データに基づく画像を含む画面を表示するステップと、
入力部が、前記表示部の表示画面に対応してユーザの選択指示の入力を受け付けるステップと、
前記入力部が前記第１の画像データに基づく画像を選択する選択指示の入力を受け付けた場合には、前記画像処理部が、前記第１の画像処理設定のもとで画像データに新たな画像処理を実行するステップと、を有する画像処理方法。
【発明の詳細な説明】
【技術分野】
【０００１】
本発明は、画像処理条件設定装置を備えた画像処理装置に関し、特に、画像処理条件の設定において、これに登録された画像処理条件設定を呼び出して設定する画像処理条件設定装置およびこれを用いた画像処理装置に関する。
【背景技術】
【０００２】
スキャナ、プリンタ、複写機、ファクシミリ装置、あるいは、これら各機器が有する機能を一台で併せ持つデジタル複合機（MultiFunction Peripheral、ＭＦＰ）、といった画像処理装置においては、印刷物等から画像情報を入力したり、画像情報を表す電子データにもとづいて印刷媒体等へ画像情報を出力したりする際、該画像情報は、一般に、画像処理装置内において画像処理を受ける。該画像処理は、様々なカテゴリに属する処理からなる複合的な処理であり、各処理は、画像情報の特性やその利用用途に応じて強弱が調整される。そのような処理には、画像処理装置が自動的にその強弱の度合いを設定することが適当な処理もあれば、ユーザが手動的にその強弱の度合いを設定することが望まれる処理もある。
【０００３】
ユーザは、画像処理において好適な結果を得るために、時として、画像処理装置を操作して処理の設定を調整する必要がある。
【０００４】
該設定の調整において、過去の画像処理装置の利用において生成された画像情報や設定データ等を再利用することは、画像処理装置の利用の利便性の向上に資する。
【０００５】
特許文献１は、画像データを保持しそれを適宜再利用するデジタル複合機を開示する。当該デジタル複合機は、保持する画像データを検索し検索条件に該当する画像データの画像一覧を出力し、当該画像一覧にかかる出力を用いて所望の画像を選択させ、選択された画像の画像データについて出力を実行する。
【０００６】
特許文献２は、複数の用途に対応し、該用途に応じて表示態様を変えて画像および画像選択情報を表示する画像選択情報表示装置を開示する。該画像選択情報表示装置は、画像の利用用途に応じて、画像の選択に有用な情報である選択情報の表示態様を変更して表示することができ、ユーザが画像を選択することを容易にしている。
【０００７】
特許文献３は、設定データを登録する機能を有する画像形成装置を開示する。当該画像形成装置は、ユーザが設定データを編集すると、編集された状態の設定データと一致する登録された設定データを検索し、検索により該当する登録された設定データを発見した場合には、その旨をユーザに通知する。
【０００８】
特許文献４は、記録材料上へ画像を再生する画像再生システムを開示する。当該画像再生システムは、画像読取装置と画像処理装置と画像出力装置とからなり、画像処理装置は、画像読取装置から入力される画像データに対して画像処理を行って処理済画像データを画像出力装置へ出力する。画像出力装置においては、処理済画像データにもとづいて記録材料上に画像を再生する。該画像処理装置は、画像処理にかかる設定条件を保持する手段を備え、以前に設定された画像処理条件を再利用することができる。特許文献４にかかる画像再生システムにおいては、画像処理条件を保持し再利用を図ることで、望ましい画像処理条件を迅速かつ簡便に設定可能とする。
【０００９】
特許文献５は、画像情報に対して画像処理を施し画像情報を出力する画像処理装置を開示する。該画像処理装置は、ユーザが画像処理の効果を把握するために用いる基本電子画像を保持し、ユーザが指定した画像処理条件下で基本処理画像について画像処理を行う。該画像処理の結果得られた処理後基本電子画像は、ユーザが指定した画像処理条件と対応付けて登録される。以後、ユーザは、処理後基本電子画像を選択し、もって以前ユーザが指定した画像処理条件を呼び出し、画像処理装置に対し、該画像処理条件にもとづく画像処理の実行を指示することができる。
【００１０】
特許文献５は、基本電子画像に対し、ユーザが設定した画像処理条件にもとづく画像処理を実施しておき、画像処理後の基本電子画像をユーザへ提示することで、ユーザが過去に利用した画像処理条件から選択して画像処理条件を決定する際の利便性を向上させる。基本電子画像には、ユーザにとって、様々な画像処理の効果を的確に把握できる内容を含んだ画像が望まれる。
【００１１】
このように、過去に行った画像処理にかかる画像、設定パラメータ値等のデータを保持し、後の画像処理に活用しようとする試みは多々存在する。とくに、特許文献５においては、所定の基本電子画像を用い、過去に行った画像処理の設定値における画像処理の効果を視覚的にユーザに提示する方法が詳細に開示される。また、特許文献５は、その背景技術の欄において、「コマンド履歴機能」について簡単な説明を与える。特許文献５によれば、「コマンド履歴機能」とは、画像処理に関する諸条件の組み合わせを、その組み合わせを適用して画像処理した原稿画像のデータ（出力画像のデータ）と対応づけて保持しておき、後の画像処理に関する諸条件の設定において、ユーザインタフェースに保持する出力画像を表示し、ユーザに選択させ、選択にかかる出力画像と対応付けて保存されている条件の組み合わせを再利用する機能である。
【特許文献１】特開２００３−０９９４６７号公報
【特許文献２】特開２００６−０９４４２６号公報
【特許文献３】特開２００５−２５４６３９号公報
【特許文献４】特開平０９−２１４６８６号公報
【特許文献５】特開２００７−１１６５７０号公報
【発明の開示】
【発明が解決しようとする課題】
【００１２】
しかしながら、依然として、ユーザが、手動的に画像処理の設定を調整することは必ずしも容易ではない。
画像処理においては、例えば、画像処理の１つであるスキャン処理においては、スキャンの大きさ等を決定するスキャンレイアウト設定といった比較的設定が容易な設定項目もあれば、画質に関する設定といった比較的設定が難しい設定項目もある。
ユーザが画像処理設定の是非を確認するため、シミュレーション結果の表示をする従来例も存在する。それでも、ユーザはシミュレーション結果に対する判断力が要求され、設定が困難である場合も少なくない。
従来、画像処理装置が自動的に画像処理の設定をする機能も存在するが、万全とはいえない。なぜなら、現在において利用可能な自動的な画像処理の設定は、一般に、原稿（書類）の種類・系列の別でレイアウト、ファイル形式を決定したり、画像処理で得た画像データの仕様用途（サイズや仕上がり描写）を推測して設定を決定することは、困難であるからである。
現在のところ、画像処理装置は、ユーザが行った画像処理にかかる設定条件を記憶し、ユーザがキーワードを入力する等により、多々存在する過去に行った画像処理にかかる設定から候補を絞り込み、その後でユーザに選択させる方法が採られる。この場合においても、ユーザは、選択した設定条件が適切か否か、シミュレーション結果等により、判断することを迫られる。
【００１３】
このような状況を鑑み、本発明は、ユーザが手動的に画像処理にかかる設定を行うことを支援し、容易かつ迅速に所望の設定に至ることができる画像処理条件設定装置を備えた画像処理装置を提供することを目的とする。
【課題を解決するための手段】
【００１４】
本発明は、その一態様においては、画像データに対して画像処理を行う画像処理部と、第１の画像処理設定のもとで画像処理を受けた第１の画像データを保持する画像データ保持部と、第１の画像処理設定のデータを保持する画像処理データ保持部と、第１の画像データと第１の画像処理設定のデータとを関連付ける第１の関連付けデータを保持する関連付けデータ保持部と、画像を表示する表示部と、ユーザからの指示の入力を受け付ける入力部と、を有し、表示部は、第１の画像データに基づく画像を含む画面を表示し、入力部は、表示部の表示画面に対応してユーザの選択指示の入力を受け付け、画像処理部は、入力部が第１の画像データに基づく画像を選択する選択指示の入力を受け付けた場合には、第１の画像処理設定のもとで画像データに新たな画像処理を実行する、画像処理装置である。
【００１５】
本発明の一態様においては、さらに、画像処理を受けた画像データのカテゴリを判別する画像カテゴリ判別部と、画像カテゴリ判別部がした判別結果を保持する画像カテゴリーデータ保持部と、入力部が受け付けた画像データに対する選択指示の回数を、複数の画像データについて個別に計数する画像選択頻度計数部と、計数の結果を示す画像選択頻度データを各画像データごとに保持する画像選択頻度データ保持部と、を有し、表示部は、同一のカテゴリに属する画像のデータに基づく複数の画像を、画像選択頻度データにもとづく順序で表示する、ことが好ましい。
【００１６】
本発明の一態様においては、入力部は、表示部に表示された複数の画像から、２以上の画像を選択する選択指示を入力することができ、画像処理部は、入力部が第１の画像データに基づく画像および第２の画像データに基づく画像を選択する選択指示の入力を受け付けた場合には、第１の画像処理設定および第２の画像データにかかる画像処理の画像処理設定である第２の画像処理設定にもとづいて第３の画像処理設定を設定し画像データに新たな画像処理を実行する、ことが好ましい。
【００１７】
本発明の一態様においては、画像処理部は、第１の画像処理設定および第２の画像処理設定との間で、設定項目同士に不整合が生じている場合には、不整合が生じている旨を表示部に表示させ、かつ、第１の画像処理設定および第２の画像処理設定との間に予め設定された優先度に基づいて、優先される画像処理設定の設定を不整合にかかる設定項目について設定し、不整合を解消する、ことが好ましい。
【００１８】
本発明の一態様においては、表示部は、第１の画像処理設定を表示することができ、第１の画像処理設定に含まれる各設定項目のうちでデフォルトの設定値と異なる設定値を有する設定項目についてデフォルトの設定値を有する設定項目と表示形態を異ならせて表示する、ことが好ましい。
【００１９】
本発明の一態様においては、画像処理は、印刷出力を伴う画像処理である、ことが好ましい。
【００２０】
本発明の一態様においては、画像処理は、原稿画像のスキャンであって、画像処理部は、入力部が第１の画像データに基づく画像を選択する選択指示の入力を受け付けた場合には、第１の画像データに対する第１の画像処理設定のもとでの画像処理の前後における画質の変化と、原稿画像に対する第１の画像処理設定のもとでの画像処理の前後における画質の変化とを導出し、当該第１の画像データおよび原稿画像の画質の変化に基づいて、原稿画像に対する第１の画像処理設定のもとでの画像処理の妥当性を評価する、ことが好ましい。
【００２１】
本発明の一態様においては、妥当性の評価は、画像処理の前後における、シャープネス、濃度、コントラスト、トーンカーブ、地色除去、および、カラーバランスの少なくともいずれかの変化についての評価である、ことが好ましい。
【００２２】
本発明の一態様においては、妥当性の評価にもとづき、表示部は、第１の画像データに基づく画像以外の画像を含む画面を表示する、ことが好ましい。
【００２３】
本発明は、別の一態様においては、画像処理部が、画像処理を行うステップと、画像データ保持部が、第１の画像処理設定のもとで画像処理を受けた第１の画像データを保持するステップと、画像処理データ保持部が、第１の画像処理設定のデータを保持するステップと、関連付けデータ保持部が、第１の画像データと第１の画像処理設定のデータとを関連付ける第１の関連付けデータを保持するステップと、表示部が、第１の画像データに基づく画像を含む画面を表示するステップと、入力部が、表示部の表示画面に対応してユーザの選択指示の入力を受け付けるステップと、入力部が第１の画像データに基づく画像を選択する選択指示の入力を受け付けた場合には、画像処理部が、第１の画像処理設定のもとで画像データに新たな画像処理を実行するステップと、を有する画像処理方法である。
【発明の効果】
【００２４】
本発明にかかる画像処理条件設定装置によれば、ユーザは、画像処理の設定を手動的に行う場合において、所望の設定に容易かつ迅速に到達することが可能である。
【発明を実施するための最良の形態】
【００２５】
本発明にかかる第１の実施の形態による画像処理条件設定装置を備えた画像処理装置は、過去に行った画像処理にかかる画像と、当該画像処理にかかる設定パラメータと、を関連付けて保持することができる。そして、後の画像処理においては、過去の画像処理にかかる画像を適切な提示手法に則ってユーザに提示し、ユーザに選択を促し、ユーザが選択した過去の画像処理にかかる画像に関連付けて保持されている画像処理設定パラメータを呼び出して、当該パラメータの値をこれから行う画像処理にかかる設定パラメータの値とすることができる。そのため、本発明にかかる画像処理条件設定装置を備えた画像処理装置においては、ユーザは、過去に自らが行った画像処理にかかる画像を選択することでこれから行う画像処理の設定を直観的に決定することができる。そのため、ユーザは、上述したようなシミュレーション結果等の評価をするスキルを要求されることがない。
【００２６】
また、本発明にかかる第１の実施の形態による画像処理条件設定装置を備えた画像処理装置においては、過去の画像処理にかかる画像をユーザに提示する手法にも特徴を有する。当該提示手法においては、画像は所定の「カテゴリ」に分類され「カテゴリ」毎に表示される。そのため、ユーザは、過去に行った画像処理とこれから行う画像処理の類似点（例えば、用紙サイズ、原稿サイズ、原稿画質、等）を複数の「カテゴリ」から直観的に選択することができる。
【００２７】
また、本発明にかかる第２の実施の形態による画像処理条件設定装置を備えた画像処理装置においては、ユーザは、過去の画像処理にかかる画像を複数選択可能である。画像処理装置は、ユーザが複数の画像を選択した場合、各画像に関連付けられて記憶されている設定パラメータの値を項目毎に合成し、新たな設定パラメータ（合成設定パラメータ）を生成し、画像処理を実行することができる。ここで、合成とは、例えば、１つの設定パラメータに対する２つの値の中間の値を決定し、該値をパラメータの値とする処理である。また、合成設定パラメータに含まれる２以上のパラメータの値の間で不整合が生じた場合には、画像処理装置は適宜ユーザに再設定を促し、当該不整合を解消することができる。
【００２８】
さらには、本発明にかかる第３の実施の形態による画像処理条件設定装置を備えた画像処理装置においては、画像処理の１つであるスキャン処理の実行に際し、ユーザが選択した「カテゴリ」あるいは過去に行った画像処理にかかる画像について設定されている画像処理設定パラメータを用いて原稿をスキャンし画像データを生成することの妥当性について、過去に行った画像処理にかかる画像の画質および原稿画像の画質に基づいて、判定することができる。そして、本発明にかかる画像処理条件設定装置を備えた画像処理装置は、妥当性を欠くと判定した場合には、ユーザに対し、その旨を通知し、ユーザに警告を与えることができ、不適切な設定で画像処理（スキャン）を実行することを未然に抑止することができる。例えば、原稿画像が人物をアップで捉えた写真である場合において、ユーザが写真であることの類似点に着目することにより風景写真のカテゴリに含まれる画像を選択したような場合においても、画像処理装置は、原稿画像に対し風景写真用の設定条件を適用することの妥当性を判定し、ユーザに対し、設定の変更を促すことができる。
【００２９】
なおさらには、本発明にかかる第４の実施の形態による画像処理条件設定装置を備えた画像処理装置においては、過去の画像印刷処理にかかる画像をユーザに提示し、これから行う印刷処理にかかる設定パラメータをユーザに選択させることもできる。
【００３０】
（第１の実施の形態）
本発明にかかる第１の実施の形態は、本発明にかかる画像処理条件設定装置を備えた画像処理装置である。第１の実施の形態においては、画像処理装置は、スキャナ機能を備えたデジタル複合機（ＭＦＰ）である。
【００３１】
＜画像処理条件設定装置を備えた画像処理装置のハードウェア構成＞
図１は、第１の実施の形態によるＭＦＰ１の斜視図である。
【００３２】
ＭＦＰ１は、コピー、ネットワークプリンティング、スキャン、ファクシミリ、ドキュメントデータサーバといった機能を集約した画像処理装置である。また、ＭＦＰ１は、ユーザがＭＦＰ１を使用するに際し、ユーザ認証を要求することもできる。
【００３３】
ＭＦＰ１は、ユーザインタフェース入力部１１、ユーザインタフェース表示部１３、画像処理回路および記憶装置１５、プリンタ部１７、ネットワークインタフェースカード（ＮＩＣ）、モデム、ターミナルアダプタ（ＴＡ）といった通信インタフェース部１９、スキャナ部２１、ドキュメントフィーダ部２３、ステープル処理やパンチ処理を行うフィニッシャ部２７、給紙部（図示せず）等を有する。フィニッシャ部２７は、印刷済の用紙を排出するための排紙トレイ２５を備える。
【００３４】
図２は、スキャナ部２１の構成を示す概略図である。
【００３５】
スキャナ部２１は、表面用撮像素子３１および背面用撮像素子３３を備える。図中の連続的な曲線は、紙原稿の移動経路を示す。該曲線に付随して描かれた矢印は、その移動方向である。このようにして紙原稿が移動する間、撮像素子３１および３３は、紙原稿に照射された光の反射光を入射し、入射光を電気信号に変換することにより、紙原稿上の画像情報を電子的情報に変換する。当該変換により生成された電子的画像情報は、画像処理回路および記憶装置１５（図１）へ送られ、適切な処理を受け、保持される。
【００３６】
図３は、ＭＦＰ１のハードウェア構成を示すブロック図である。
【００３７】
ＭＦＰ１は、各種データの演算処理や、ＭＦＰ１各部の制御処理等を司る中央処理装置（ＣＰＵ）４１、ＣＰＵ４１が実行するプログラムを記憶するリード・オンリ・メモリ（ＲＯＭ）４３、ＣＰＵ４１が実行するプログラムおよび各種データを記憶するランダム・アクセス・メモリ（ＲＡＭ）４５、画像データ等を記憶するハード・ディスク・ドライブ（ＨＤＤ）５１、カードリーダ５３（可搬性記憶媒体読取装置）、メモリーカード５５（可搬性記憶媒体）、紙原稿等をスキャナ部２１へ送るドキュメントフィーダ部２３、スキャナ部２１、プリンタ部１７へ印刷用紙を送る給紙部６１、プリンタ部１７、ユーザインタフェースの表示部１３、ユーザインタフェースの入力部１１、を備える。ＣＰＵ４１、ＲＯＭ４３、および、ＲＡＭ４５は、コンピュータ４９を構成し、ＲＯＭ４３およびＲＡＭ４５は、コンピュータ４９の主記憶装置４７を構成する。また、ＨＤＤ５１ならびにカードリーダ５３およびメモリーカード５５は、補助記憶装置５７を構成する。ユーザインタフェース６５は、表示部１３および入力部１１で構成される。コンピュータ４９は、本発明にかかるプログラムを実行することにより、本発明にかかる各実施の形態による画像処理条件設定装置を備えた画像処理装置を実現する。当該プログラムは、主記憶装置部４７あるいは補助記憶装置部５７にインストールされ実行されてよい。また、当該プログラムは、ネットワークを介して外部より適宜配信されるものであってもよい。当然のことながら、当該プログラムは、フレキシブルディスク（ＦＤ）等に記憶された状態で、流通可能である。
【００３８】
ユーザインタフェース６５に関し、入力部１１は、数字、文字、および、記号等を入力するための複数のキー、押下されたキーを認識するセンサ、押下されたキーを示す信号をＣＰＵ４１へ送る送信用回路等から構成される。また、表示部１３は、ユーザに対して情報を提示する画面、ユーザに対して指示を送るための画面、ユーザが設定等を入力するための画面、ＭＦＰ１が行う画像処理によって形成される画像を表示する画面等を表示するディスプレイ装置である。本実施の形態においては、表示部１３は、液晶タッチパネルで構成される。液晶タッチパネルは、ディスプレイ画面上においてユーザがタッチした部分を検知する機能を有する。当該機能により、液晶タッチパネルは、表示部１３であると同時に入力部１１の機能を有する。こうして入力部１１および表示部１３は、ユーザがＭＦＰ１を直接的に操作するためのユーザインタフェース部６５を構成する。なお、ユーザインタフェース部６５は、ネットワークを介してＭＦＰ１に接続されたパーソナル・コンピュータ等にインストールされるドライバ・ソフトウェア等により実現されてもよい。この場合、本発明にかかる画像処理条件設定装置は、上記ドライバ・ソフトウェア等がインストールされ実行されるパーソナル・コンピュータ等の情報処理装置である。
【００３９】
スキャナ部２１は、写真、文字、絵等の画像情報を原稿から光電的に読み取り、電気的信号を生成する。該電気的信号は、１次元的あるいは２次元的な濃度の情報を表す信号である。当該電気的信号は、ＭＦＰ１内部においてデジタルデータ（画像データ）に変換され、周知の各種画像処理を受けた後、プリンタ部１７や通信インタフェース部１９へ送られ、印刷、送信等の供される。また、上記画像データは、後の利用のためにＭＦＰ１内部に保持されてもよい。
【００４０】
プリンタ部１７は、スキャナ部２１等の作用により獲得した画像データ、外部から通信インタフェース部１９を介して獲得した画像データ、ＭＦＰ１内部に保持された画像データを、紙等の印刷媒体上に印刷する。紙等の印刷媒体は、給紙部６１から供給される。プリンタ部１７が印刷処理を施した印刷媒体は、フィニッシャ部２７を通過する際に適宜ステープル処理やパンチ処理を受けた後、排紙トレイ２５から排出される。
【００４１】
補助記憶装置部５７は、ＨＤＤ５１、カードリーダ（ライタ）５３等を有する。ＨＤＤ５１は、スキャナ部２１等の作用により獲得した画像データ、外部から通信インタフェース部１９を介して獲得した画像データ等を保持する。ＨＤＤ５１に保持されるデータは、ネットワークを介して外部からも参照可能である。カードリーダ（ライタ）５３は、コンパクトフラッシュ（登録商標）やスマートメディアといったメモリーカード５５からデータを読み出したり、データを書き込んだりするための装置である。メモリーカード５５は、パーソナル・コンピュータ等とネットワークを介さずにデータの授受を行ったり、データのバックアップのために用いたりすることができる。
【００４２】
＜画像処理条件設定装置を備えた画像処理装置の機能的構成＞
図４は、第１の実施の形態による画像処理条件設定装置を備えた画像処理装置の機能的構成を示すブロック図である。本図においては、ハードウェア的に、デバイスとして供される構成要素についても記載され、ＭＦＰ１の全体図が理解できるようになっている。図１ないし図３と同じ構成要素については、当然に、同じ参照数字を付してある。
【００４３】
図４に示した機能ブロックは、図３に示したコンピュータ４９のＣＰＵ４１がプログラムを実行することで実現される機能ブロックである。当該プログラムは、１つのまとまりのあるプログラムである必要はなく、各機能モジュールを構成するプログラムが複数集まって構成されてよい。
【００４４】
ＭＦＰ１は、制御部７１を備える。制御部７１は、ＭＦＰ１の各ブロックを制御し、また、適宜、各ブロック間におけるデータの受け渡しを行う。当該データの受け渡しに際し、制御部７１が適宜データを処理することも可能である。また、制御等のタイミングは、周知の技術に基づいて適宜行われる。
【００４５】
画像処理部７３は、スキャナ部２１や（図示しない）通信インタフェース部から入力されるデータを受け取り、当該データに対して所定の画像処理を行い、画像データを生成する。画像処理部７３が生成した画像データは、データ保持部５７の画像データ保持部８１に保持される。また、画像データをプリンタ部１７へ送り、プリンタ部１７から出力させることも可能である。
【００４６】
画像カテゴリ判別部７５は、画像処理部７３が生成し、画像データ保持部８１へ送られる画像データについて、その画像データが属するカテゴリを判別する。画像カテゴリ判別部７５は、判別したカテゴリを、画像カテゴリーデータ保持部８３へ送る。画像カテゴリーデータ保持部８３に保持されたカテゴリーデータは、画像データと関連付けるためのデータとカテゴリーデータを含んでいる。
ここで、カテゴリとは、所定の観点から画像データを分類したときの各分類のラベルである。カテゴリは、様々な観点に立って画像データを分類したときに生じるラベルする指標を同時的に複数含んでよい。１つの画像データが複数のカテゴリに分類されるようなことがあっても構わない。
例えば、カテゴリは、
・画像データのサイズ（写真Ｌサイズプリント、Ａ４、特殊サイズ、等）、
・画像データの画質（高精細画像、標準画質画像、等）、
・画像データの色情報の有無（モノクロ、カラー、等）、
・画像データの内容（テキスト、写真、文字・写真混在、薄文字、等）、
・原稿の種類（ドキュメント、伝票、新聞・雑誌・カタログ・ポスター等印刷物、写真（印画紙）、等）、といった観点で画像データを分類したときの各分類のラベルである。
カテゴリは、ユーザが、ＭＦＰ１の使用目的等に照らして自由に作成して、既存のカテゴリに追加してよい。ユーザが自らカテゴリを設定することは、直観的なＭＦＰ１の操作を実現する、という観点からより望ましいことである。例えば、オフィスにおいては、各種伝票毎にカテゴリを細分化してもよいし、デザイン事務所等においては、人物写真と風景写真とでカテゴリを分けてもよい。カテゴリは、画像の画質を調整するための設定パラメータ項目の設定値とは無関係に、ユーザの任意で、ユーザのニーズに沿って、設定されることが望ましい。そうすることで、ユーザは、ＭＦＰ１に対する直観的な操作が一層容易になる。
【００４７】
画像処理パラメータ設定部７７は、画像処理部７３が行う画像処理についての設定パラメータの値を決定し、画像処理部７３へその値を送る。画像処理部７３は、画像処理パラメータ設定部７７から受けた設定パラメータの値を用い、制御部７１の制御下で画像処理を実行する。
【００４８】
次に、データ保持部５７について説明する。
【００４９】
データ保持部５７は、画像データを保持する画像データ保持部８１、画像データのカテゴリーデータを保持する画像カテゴリーデータ保持部８３、後述する画像選択頻度データを保持する画像選択頻度データ保持部８５、画像データと画像処理設定パラメータデータとの関連付けのためのデータを保持する画像−画像処理パラメータ関連付けデータ保持部８７、画像処理にかかる設定パラメータデータ（設定パラメータの項目と各項目の値のデータ）を保持する画像処理パラメータデータ保持部８９と、を有する。
【００５０】
画像データ保持部８１は、画像処理部７３において処理され生成された画像データを保持する。画像データ保持部８１は、複数のボックス（８１ａ、８１ｂ）を備えることが可能である。例えば、ボックス（８１ａ、８１ｂ）は、画像処理部７３において、画像処理パラメータ設定部７７が決定し画像処理部７３に指示した画像処理パラメータに基づいて行われた画像処理で生成された画像データを保持する画像データボックス８１ａと、画像処理部７３において画像データを生成するのに必要な最小限の画像処理のみが施されて生成された画像データ（以下、「ノーマル画像データ」）を保持するノーマル画像データボックス８１ｂとを有する。ノーマル画像データの利用に関しては、第３の実施の形態において詳細に説明する。
【００５１】
画像カテゴリーデータ保持部８３は、画像処理部７３において画像処理されて画像データ保持部８１に保持される画像データそれぞれについて、画像カテゴリ判別部７５が判別した当該画像データの画像のカテゴリをカテゴリーデータとして、当該画像データと関連付けて保持する。
【００５２】
画像選択頻度データ保持部８５は、ユーザが、後述する画像処理の設定パラメータの設定操作において、表示部１３に表示された複数の過去の画像処理にかかる画像から、ある画像を選択した回数を、各画像について計数したデータ（画像選択頻度データ）を保持する。画像選択頻度データは、以降の過去の画像処理にかかる画像の表示において、画像の表示順序を決定する際に参照される。
【００５３】
画像−画像処理パラメータ関連付けデータ保持部８７は、画像データ保持部８１に保持された画像データと、当該画像データが受けた画像処理の設定パラメータデータとを関連付けるためのデータを保持する。
【００５４】
画像処理パラメータデータ保持部８９は、画像データ保持部８１に保持された画像データについて、その画像データが画像処理部７３において受けた画像処理の設定パラメータ（の項目および各項目の値）のデータ（画像処理パラメータデータ）を保持する。
【００５５】
表示画面構成部９１は、後述する画像処理の設定パラメータの設定操作において、表示部１３に表示する画面を、画像データ保持部８１に保持された画像データ、画像カテゴリーデータ保持部８３に保持された画像カテゴリーデータ、画像選択頻度データ保持部８５に保持された画像選択頻度データ、にもとづいて作成し、表示部１３に表示させる。
【００５６】
画像選択頻度計数部９３は、後述する画像処理の設定パラメータの設定操作において、複数の過去の画像処理にかかる画像からユーザが選択した画像について画像選択頻度データを更新し、更新した画像選択頻度データを画像選択頻度データ保持部８５へ記憶する。
【００５７】
本発明にかかる画像処理条件設定装置は、ユーザインタフェース部６５、制御部７１、表示画面構成部９１、画像選択頻度計数部９３、データ保持部８１、画像カテゴリ判別部７５、画像処理パラメータ設定部７７により構成される。換言すれば、本発明にかかる画像処理条件設定装置は、ＭＦＰ１のコンピュータ４９（図３）においてプログラムを実行することによりＭＦＰ１内に構成される制御部７１、表示画面構成部９１、画像選択頻度計数部９３、データ保持部８１、画像カテゴリ判別部７５、画像処理パラメータ設定部７７と、ユーザインタフェース部６５とで実現される。当該プログラムが、ＭＦＰ１とネットワークで接続された情報処理装置において実行されることで、当該情報処理装置において本発明にかかる画像処理条件設定装置を実現することも可能である。
【００５８】
＜第１の実施の形態における処理の流れ＞
以下、本発明にかかる第１の実施の形態による画像処理条件設定装置を備えた画像処理装置における画像処理の流れについて説明する。以下、画像処理の例として、スキャンジョブの実行例を採りあげる。しかしながら、本発明は、画像処理を、スキャンジョブに限定することを意図しない。
【００５９】
図５は、第１の実施の形態におけるＭＦＰ１の処理の流れを示すフローチャートである。
【００６０】
ステップＳ１０１と関連し、ユーザは、ドキュメントフィーダ部２３にこれからＭＦＰ１にスキャンさせようとする原稿を載置する。当該原稿の載置を認識したＭＦＰ１は、ステップＳ１０１を実行する。
【００６１】
ステップＳ１０１において、ＭＦＰ１は、ユーザに対し、カスタム設定スキャンモードとしてスキャンジョブを実行するか、あるいは、自動設定スキャンモードとしてスキャンジョブを実行するか、の選択を促し、ユーザによる当該選択の入力にもとづいて以降の処理を分岐させる。なお、カスタム設定スキャンモードとは、ユーザが、手動的に、スキャンにかかる設定パラメータの値を設定してからスキャンを実行するモードである。他方、自動設定スキャンモードは、ＭＦＰ１が、自動的に、スキャンにかかる設定パラメータの値を、原稿の特性に応じて設定してスキャンを実行するモードである。
ＭＦＰ１が、カスタム設定スキャンモードが選択されたと判断した場合（ステップＳ１０１における「ＹＥＳ」）、処理は、ステップＳ１０３へ移行する。
ＭＦＰ１が、自動設定スキャンモードが選択されたと判断した場合（ステップＳ１０１における「ＮＯ」）、処理は、ステップＳ１１７へ移行する。
【００６２】
ステップＳ１０３において、ＭＦＰ１は、ユーザに対し、カスタム設定のための一連の操作において、過去に実施したカスタム設定スキャンモードによるスキャンジョブで生成された画像を過去の画像処理例として参照してカスタム設定を行うか、否か、の選択を促す。
ユーザが、過去の画像処理の例を参照することを選択した場合、つまり、ＭＦＰ１が過去の画像処理の例を利用すると決定した場合（ステップＳ１０３における「ＹＥＳ」）、処理は、ステップＳ１０５へ移行する。
ＭＦＰ１が過去の画像処理の例を利用しないと決定した場合（ステップＳ１０３における「ＮＯ」）、処理は、ステップＳ１１９へ移行する。
【００６３】
ステップＳ１０５において、ＭＦＰ１の表示画面構成部９１は、ボックス（画像データ保持部８１）に保持されている過去のカスタム設定スキャンにかかる画像を、表示部１３に表示するための一連の処理を実行する。
【００６４】
図６は、ステップＳ１０５の詳細を示すフローチャートである。これより、図６を参照し、ステップＳ１０５について説明する。
【００６５】
ステップＳ１０５ａにおいて、ＭＦＰ１は過去のカスタム設定スキャンにかかる画像が含まれるカテゴリを表示し、ユーザに対し、過去のカスタム設定スキャンにかかる画像のカテゴリを選択することによりこれから行うカスタム設定スキャンにおいて設定を利用できそうな過去のカスタム設定スキャンを絞り込むことを促す。ここで表示されるカテゴリは、画像カテゴリーデータ保持部８３が保持するカテゴリーデータに記録されているカテゴリである。つまり、画像データ保持部８１に保持された過去のカスタム設定スキャンにかかる画像データに与えられたカテゴリが表示される。
例えば、ＭＦＰ１は、ステップＳ１０５ａにおいて、以下のようなカテゴリを表示部１３に表示し、ユーザに対し、そのなかからカテゴリを選択し、その選択を入力部１１から入力することを求める。
ステップＳ１０５ａにおいて表示部１３に表示されるカテゴリは、以下のような例を含む。
・モノクロドキュメント（モノクロテキスト）
・カラードキュメント（カラー原稿全般）
・写真Ｌプリント
・画像高精細
・カラー印刷物
また、各カテゴリは、その下位に１つ以上のサブカテゴリを備えてもよい。つまり、カテゴリは、多段の入れ子構造を有することができる。
表示されたカテゴリからユーザがカテゴリを選択し、その選択を入力すると、ＭＦＰ１は、ステップＳ１０５ｂへ移行する。
【００６６】
ステップＳ１０５ｂにおいて、ＭＦＰ１は、選択された画像カテゴリに属する画像が画像データ保持部８１に複数保持されているか、否か、について、画像カテゴリーデータ保持部８３に保持された画像カテゴリーデータ等を参照し、判定する。
ＭＦＰ１が、選択された画像カテゴリに属する画像が画像データ保持部８１に複数保持されている、と判定した場合（ステップＳ１０５ｂにおける「ＹＥＳ」）、処理は、ステップＳ１０５ｃへ移行する。
ＭＦＰ１が、選択された画像カテゴリに属する画像が画像データ保持部８１に１つだけ保持されている、と判定した場合（ステップＳ１０５ｂにおける「ＮＯ」）、処理は、ステップＳ１０５ｃをスキップしてステップＳ１０５ｄへ移行する。
【００６７】
ステップＳ１０５ｃにおいて、ＭＦＰ１は、選択された画像カテゴリに属する複数の画像それぞれについて、これまでに、選択された頻度（例えば、選択された回数）を調べ、当該複数の画像を、選択された頻度に基づいて、ソートする。この処理は、画像選択頻度データ保持部８５が保持する画像選択頻度データを参照することで行われる。
【００６８】
ステップＳ１０５ｄにおいて、ＭＦＰ１は、ステップＳ１０５ａにおいて選択されたカテゴリに属する画像を、ステップＳ１０５ｃにおいてソートされた順序で、表示部１３に表示する。
【００６９】
図７は、最上位のカテゴリ「モノクロテキスト」が選択された際に表示される画面の例である。
【００７０】
図７を参照すれば、表示部１３には、画像ＩＭ１ないしＩＭ４が表示される。カテゴリ「モノクロテキスト」はサブカテゴリ「Ａ４未満横長」、「Ａ４未満異形」、「Ａ４原稿」、「Ａ４縁処理」を含んでいる。画像ＩＭ１、ＩＭ２、ＩＭ３、ＩＭ４はそれぞれ、上記サブカテゴリに対応する画像例である。各画像ＩＭ１、ＩＭ２、ＩＭ３、ＩＭ４は、サブカテゴリを選択するための入力ボタンを兼ねている。
【００７１】
図８は、最上位のカテゴリ「カラー原稿全般」が選択された際に表示される画面の例である。
【００７２】
図８を参照すれば、表示部１３には、画像ＩＭ５ないしＩＭ９が表示される。カテゴリ「カラー原稿全般」はサブカテゴリ「Ａ４以下」、「Ａ４以下写真（Ｌプリント）」、「Ａ４印刷物」、「Ａ４写真」を含んでいる。画像ＩＭ５、ＩＭ６、ＩＭ７、ならびに、ＩＭ８および９はそれぞれ、上記サブカテゴリに対応する画像例である。各画像ＩＭ５、ＩＭ６、ＩＭ７、ならびに、ＩＭ８および９は、サブカテゴリを選択するための入力ボタンを兼ねている。
【００７３】
図９は、最上位のカテゴリ「モノクロテキスト」に含まれるサブカテゴリ「Ａ４未満横長」が選択された際に表示される画面の例である。
【００７４】
図９を参照すれば、カテゴリ「モノクロテキスト」内のサブカテゴリ「Ａ４未満横長」に属する、過去のカスタム設定スキャンで生成された画像データが表示部１３にインデックス画像として表示される。ここで、画像ＩＭ１ａ、画像ＩＭ１ｂ、画像ＩＭ１ｃは、ステップＳ１０５ｃにおけるソートの結果に従って、これまでに選択された頻度（例えば、回数）順に左上から右下に向かう順に表示されている。このように、これまでの選択頻度に従って画像を並べて表示することで、ユーザは、より使用頻度の多い画像をより迅速に選択することが可能である。カテゴリ（あるいはサブカテゴリ）に含まれる画像の数が多く、全ての画像のインデックス画像を一度に表示できない場合には、スクロールボタンを設け、ユーザが必要に応じて画面をスクロールできるようにすればよい。
このように、ユーザは、これからスキャンする原稿と同一あるいは類似の過去の画像を選択することで、これからスキャンする原稿の画質調整項目の設定の詳細を意識することなく適切なカスタム設定を選択することができる。また、ユーザは、これからスキャンする原稿と同一あるいは類似の主題（例えば、伝票、報告書、写真等）を有する過去の画像を選択してもよいから、スキャンする原稿の内容を意識することなく、各主題にとって適当なカスタム設定を選択することも可能である。
【００７５】
図１０は、最上位のカテゴリ「モノクロテキスト」に含まれるサブカテゴリ「Ａ４未満異形」が選択された際に表示される画面の例である。
【００７６】
図１０を参照すれば、カテゴリ「モノクロテキスト」内のサブカテゴリ「Ａ４未満異形」に属する、過去のカスタム設定スキャンで生成された画像データが表示部１３に表示される。ここで、画像ＩＭ２ａ、画像ＩＭ２ｂは、ステップＳ１０５ｃにおけるソートの結果に従って、これまでに選択された頻度（例えば、回数）順に左上から右下に向かう順に表示される。
【００７７】
図１１は、最上位のカテゴリ「モノクロテキスト」に含まれるサブカテゴリ「Ａ４原稿」が選択された際に表示される画面の例である。
【００７８】
図１１を参照すれば、カテゴリ「モノクロテキスト」内のサブカテゴリ「Ａ４原稿」に属する、過去のカスタム設定スキャンで生成された画像データが表示部１３に表示される。ここでも、画像ＩＭ３ａ、画像ＩＭ３ｂは、ステップＳ１０５ｃにおけるソートの結果に従って順に表示される。
【００７９】
図１２は、最上位のカテゴリ「モノクロテキスト」に含まれるサブカテゴリ「Ａ４縁処理」が選択された際に表示される画面の例である。
【００８０】
図１２を参照すれば、カテゴリ「モノクロテキスト」内のサブカテゴリ「Ａ４縁処理」に属する、過去のカスタム設定スキャンで生成された画像データが表示部１３に表示される。ここでも、画像ＩＭ４ａ、画像ＩＭ４ｂは、ステップＳ１０５ｃにおけるソートの結果に従って順に表示される。
【００８１】
図１３は、最上位のカテゴリ「カラー原稿全般」に含まれるサブカテゴリ「Ａ４以下」が選択された際に表示される画面の例である。
【００８２】
図１３を参照すれば、カテゴリ「カラー原稿全般」内のサブカテゴリ「Ａ４以下」に属する、過去のカスタム設定スキャンで生成された画像データが表示部１３に表示される。ここでも、画像ＩＭ５ａ、画像ＩＭ５ｂ、画像ＩＭ５ｃは、ステップＳ１０５ｃにおけるソートの結果に従って順に表示される。
【００８３】
図１４、図１５、図１６もまた、それぞれ、最上位のカテゴリ「カラー原稿全般」に含まれるサブカテゴリ「Ａ４以下写真（Ｌプリント）」、「Ａ４印刷」、「Ａ４写真」が選択された際に表示される画面の例である。各例においても、画像は、ステップＳ１０５ｃにおけるソートの結果に従って順に表示される。
【００８４】
図７ないし図１６に示した表示例は、それぞれ、表示画面構成部９１（図４）が、画像データ保持部８１（図４）に保持される過去のカスタム設定スキャンで生成された画像データと、画像カテゴリ判別部７５（図４）が生成し画像カテゴリーデータ保持部８３（図４）に保持された画像カテゴリーデータと、画像選択頻度計数部９３（図４）が計数し画像選択頻度データ保持部８５（図４）に保持された画像選択頻度データと、入力部１１（図４）から入力された選択にかかる入力とに基づいて構成する。
【００８５】
図５に戻り、処理の流れに沿って説明を続ける。
【００８６】
ステップＳ１０７において、ＭＦＰ１は、ユーザがする、画像の選択にかかる入力を受け付ける。ユーザは、表示部１３に表示された画像をタッチすることで、ＭＦＰ１に対し、画像の選択を入力することができる。
【００８７】
ステップＳ１０９において、ＭＦＰ１は、選択された画像を、より大きく、拡大表示してユーザに当該画像の詳細を提示し、ユーザに対し、当該選択の確認を促す。
【００８８】
ステップＳ１１１において、ＭＦＰ１は、ステップＳ１０９において拡大表示した画像を、ユーザが確認してＯＫボタンを押下したか、否か、を判定する。
ＭＦＰ１が、ユーザがＯＫボタンを押下した、と判定した場合（ステップＳ１１１における「ＹＥＳ」）、処理は、ステップＳ１１３へ移行する。
ＭＦＰ１が、ユーザがＯＫボタンを押下しなかった、と判定した場合（ステップＳ１１１における「ＮＯ」）、処理は、ステップＳ１０７へ戻る。戻った後のステップＳ１０７においては、ＭＦＰ１は、先の画像の選択の直前に表示していた表示画面を再表示してよい。
【００８９】
ステップＳ１１３において、ＭＦＰ１は、ユーザが選択した画像にかかる過去のカスタム設定スキャンにおける設定パラメータの各項目の値を、表示部１３に表示する。このとき、ＭＦＰ１は、各設定項目のうちでデフォルトの設定値と異なる設定値を有する設定項目についてデフォルトの設定値を有する設定項目と表示形態を異ならせて表示することができる。
【００９０】
ステップＳ１１５において、ＭＦＰ１の画像処理パラメータ設定部７７は、ユーザによるカスタム設定スキャンの設定パラメータの値の編集を受け付ける。
【００９１】
図１７は、ステップＳ１１５の詳細を示すフローチャートである。これより、図１７を参照し、ステップＳ１１５について説明する。
【００９２】
ステップＳ１１５ａにおいて、ＭＦＰ１は、カスタム設定スキャンの設定を行うためのメニューを表示する。
【００９３】
図１８および図１９は、それぞれ、カスタム設定スキャンモードにおける画質調整項目のカスタム設定のためのユーザインタフェース（ＵＩ）構成例である。図１８は、通常の画質調整項目のカスタム設定におけるＵＩ構成例である。図１８のようなＵＩ構成は、後述するステップＳ１１９において用いられるＵＩである。図１９は、過去のカスタム設定スキャンにかかる画像をユーザが選択することにより、過去のカスタム設定が呼び出された場合におけるＵＩ構成例である。
【００９４】
図１９を参照すれば、画像データ「長崎の夕日」がユーザによって選択された時のカスタム設定ＵＩ初期画面構成例である。このように、設定パラメータ群のうち、画質調整項目について、画像データ「長崎の夕日」が作成された時に用いられたパラメータ値が自動的にセットされる。なお、ＭＦＰ１は、図１９に代えて、図２０に示すように、画像データ「長崎の夕日」がユーザによって選択されたことでデフォルト値から変更された設定項目のみを表示してもよい。
【００９５】
ステップＳ１１５ｂにおいて、ＭＦＰ１は、入力部１１を介し、ユーザによる設定パラメータの各項目の値の変更の入力を受け付ける。
【００９６】
ステップＳ１１５ｃにおいて、ＭＦＰ１は、例えば、ユーザが入力部１１を介して設定の終了を通知する入力をしたような場合に、カスタム設定スキャンにかかる設定パラメータの変更を終了し、設定パラメータ値を確定する。
【００９７】
再び図５に戻る。
【００９８】
ステップＳ１２１において、ＭＦＰ１は、ユーザによるスキャンの開始を指示する入力を受け付ける。ステップＳ１２１は、ステップＳ１１７における自動設定スキャンモードでのスキャンジョブ、および、ステップＳ１１９における過去のカスタム設定スキャンを参照しないカスタム設定スキャンモードでのスキャンジョブ、と共通である。
【００９９】
ステップＳ１２３において、ＭＦＰ１は、ユーザによるスキャンの開始を指示する入力を受けて、原稿のスキャンを実行する。
【０１００】
ステップＳ１２５において、ＭＦＰ１の画像処理部７３は、ステップＳ１２３において生成された画像データをボックス（画像データ保持部８１（図４））に記憶する。
【０１０１】
ステップＳ１２７において、ＭＦＰ１は、ステップＳ１２３において実行したスキャンは、カスタム設定スキャンとして実行されたか、否か、を判定する。
ＭＦＰ１が、スキャンはカスタム設定スキャンとして実行された、と判定した場合（ステップＳ１２７における「ＹＥＳ」）、処理は、ステップ１２９へ移行する。
ＭＦＰ１が、スキャンは自動設定スキャンとして実行された、と判定した場合（ステップＳ１２７における「ＮＯ」）、以下の処理はスキップされ、スキャンジョブの実行にかかる一連の処理は終了する。
【０１０２】
ステップＳ１２９において、ＭＦＰ１の画像カテゴリ判別部７５は、カスタム設定スキャンとして実行したスキャンで生成した画像データの画像カテゴリを判別する。この画像カテゴリの判別は、ステップＳ１０７においてユーザが選択した画像が属する画像カテゴリと同一であると判別するものでよい。また、ＭＦＰ１が、スキャンした画像データを解析して画像カテゴリを自動的に判別するものでも、ＭＦＰ１がユーザに対し画像カテゴリを手動的に入力させて画像カテゴリを決定するものでもよい。
【０１０３】
ステップＳ１３１において、ＭＦＰ１は、ステップＳ１２３におけるスキャンで用いた設定パラメータの設定項目およびそれらの値を、画像処理パラメータデータ保持部８７（図４）に保持する。
【０１０４】
ステップＳ１３３において、ＭＦＰ１は、画像処理パラメータデータと、ステップＳ１２３におけるスキャンで生成された画像データとの関連付けを示すデータを、画像−画像処理パラメータ関連付けデータ保持部８７（図４）に保持する。
【０１０５】
このように、本発明にかかる第１の実施の形態による画像処理条件設定装置を備えた画像処理装置（ＭＦＰ１）においては、ユーザが、画質調整項目の詳細について意識することなく、適切な設定パラメータの値に到達することができる。そのため、ユーザは、画質を判断するスキルや画質の調整のために必要な知識を有さずとも、直観的に、迅速かつ容易に、適当な設定パラメータ値を設定することが可能である。また、今回のカスタム設定スキャンにおいて用いた設定パラメータの値と、生成された画像データは、次回以降のカスタム設定スキャンにおいて利用される。そのため、ユーザが使用すればするほどに、ＭＦＰ１は、ユーザの感性にフィットしたカスタム設定操作を実現することが可能である。さらには、本発明によるカスタム設定操作にかかる処理体系は、説明したように、非常に簡潔なものであるため、安価に、ユーザの感性にフィットする画像処理条件設定装置が実現される。
【０１０６】
（第２の実施の形態）
次に、本発明にかかる第２の実施の形態について説明する。
本発明にかかる第２の実施の形態もまた、本発明にかかる画像処理条件設定装置を備えた画像処理装置である。第２の実施の形態においても、画像処理装置は、スキャナ機能を備えたデジタル複合機（ＭＦＰ）である。
【０１０７】
第２の実施の形態においては、ユーザは、過去の画像処理にかかる画像を複数選択可能である。この場合、画像処理装置（ＭＦＰ１）は、選択された複数の画像のそれぞれに対応する設定パラメータ値について、不整合が生じていないかどうかチェックし、不整合が生じた場合には、ユーザに対し、その項目について再設定を促すことができる。また、選択された複数の画像のそれぞれに対応する設定パラメータ値間で、同一の設定項目についてパラメータ値が異なる場合には、ＭＦＰ１は、自動的に、合成処理をして当該設定項目に対するパラメータ値を決定する。ここでの合成処理とは、同一の設定項目に対する複数のパラメータ値について所定の処理をして１つのパラメータ値を決定する処理を指す。所定の処理には、２以上のパラメータ値の間の値を、例えば、平均値を採る、といった処理が含まれる。また、合成処理をする設定項目をユーザに選択させることも可能である（選択的合成処理）。
【０１０８】
＜画像処理条件設定装置を備えた画像処理装置のハードウェア構成＞
第２の実施の形態によるＭＦＰのハードウェア構成は、第１の実施の形態によるＭＦＰ１と同様でよいため、その説明を省略する。
【０１０９】
＜画像処理条件設定装置を備えた画像処理装置の機能的構成＞
第２の実施の形態によるＭＦＰの機能的構成も、第１の実施の形態によるＭＦＰ１と同様でよいため、その説明を省略する。なお、第１の実施の形態と異なる作用をする機能部ロックについては、以下で、処理の流れに沿って詳細に説明する。
【０１１０】
＜第２の実施の形態における処理の流れ＞
以下、本発明にかかる第２の実施の形態による画像処理条件設定装置を備えた画像処理装置における画像処理の流れについて説明する。以下、画像処理の例として、スキャンジョブの実行例を採りあげる。しかしながら、本発明は、画像処理を、スキャンジョブに限定することを意図しない。
【０１１１】
図２１Ａおよび図２１Ｂは、第２の実施の形態による画像処理の流れを示すフローチャートである。第１の実施の形態による画像処理の流れにおける工程と同様の内容を示す工程については、同様の参照数字を付している。これら、既に説明した工程については、その説明を適宜省略する。
【０１１２】
ステップＳ１０１からステップＳ１０７に至る処理の流れは、第１の実施の形態における画像処理の流れと同様であるため、説明を省略する。
【０１１３】
ステップＳ２０１において、ＭＦＰ１は、ユーザに対し、２枚目以降の、さらなる画像の選択をするか、否か、についての決定を求める。
ＭＦＰ１が、ユーザからさらなる画像を選択する旨の入力を受けた場合（ステップＳ２０１における「ＹＥＳ」）、処理は、ステップＳ１０７に戻り、ＭＦＰ１は、さらなる画像の選択を受け付ける。
ＭＦＰ１が、ユーザからさらなる画像を選択しない旨の入力を受けた場合（ステップＳ２０１における「ＮＯ」）、処理は、ステップＳ２０３へ移行する。
【０１１４】
ステップＳ２０３において、ＭＦＰ１の画像処理パラメータ設定部７７は、上記した合成処理により、ユーザによって選択された複数の画像に関連付けて保持された設定パラメータデータの各項目について、１つのパラメータ値を決定する。なお、合成処理は、ユーザが選択した設定項目のみについて行ってもよい。この場合、ユーザに対し、合成処理を実施する設定項目を選択させる工程がステップＳ２０３よりも先に実施されればよい。このとき、合成処理をする設定項目に選択されなかった設定項目については、優先すべき選択画像に対応した設定パラメータデータのパラメータ値を採用する。優先すべき選択画像とは、例えば、複数の選択された画像のうちで、ユーザが時間的に先に選択した画像を指す。
【０１１５】
ステップＳ２０５において、ＭＦＰ１は、合成カスタム設定スキャンの設定パラメータ群の値を、表示部１３に表示させる。
【０１１６】
ステップＳ２０７において、ＭＦＰ１の画像処理パラメータ設定部７７は、現在の合成カスタム設定スキャンの設定パラメータにおいて、不整合が生じているか、否か、を判定する。
ＭＦＰ１が、現在の合成カスタム設定スキャンの設定パラメータにおいて、不整合が生じている、と判定した場合（ステップＳ２０７における「ＹＥＳ」）、処理は、ステップＳ２０９へ移行する。
ＭＦＰ１が、現在の合成カスタム設定スキャンの設定パラメータにおいて、不整合が生じてない、と判定した場合（ステップＳ２０７における「ＮＯ」）、処理は、ステップＳ２１５へスキップする。
ここで、合成カスタム設定スキャンの設定パラメータにおける不整合とは、複数のカスタム設定スキャン設定パラメータにおいて、用紙サイズ、方向等の設定項目の値が整合していない場合を指す。
なお、ＭＦＰ１の画像処理パラメータ設定部７７は、不整合を解消するため、優先すべき選択画像に対応した設定パラメータデータのパラメータ値を採用してもよい。優先すべき選択画像とは、上述と同じく、複数の選択された画像のうちで、ユーザが時間的に先に選択した画像を指す。
【０１１７】
ステップＳ２０９において、ＭＦＰ１は、合成カスタム設定スキャン設定パラメータの不整合が生じている項目を、表示部１３に表示する。
【０１１８】
ステップＳ２１１において、ＭＦＰ１は、不整合が生じている項目について、その不整合を解消できる設定と関係付けられている画像を、表示部１３に表示する。
【０１１９】
ステップＳ２１３において、ＭＦＰ１は、ステップＳ２１１において表示された画像の選択を受け付ける。ＭＦＰ１の画像処理パラメータ設定部７７は、選択の入力を受け取ると、当該再選択にかかる画像と対応付けられたカスタム設定スキャン設定パラメータの、ステップＳ２０７において検出された不整合項目のパラメータ値を、合成カスタム設定スキャン設定パラメータの当該設定項目の値に設定する。
【０１２０】
ステップＳ２１５において、ＭＦＰ１は、現在の合成カスタム設定スキャンの設定パラメータ群の値を、表示部１３に表示させる。
【０１２１】
ステップＳ１１５、Ｓ１１７、Ｓ１１９、〜、ステップＳ１３３までの処理は、第１の実施の形態における対応するステップでの処理と同様である。
【０１２２】
このように、第２の実施の形態においては、ユーザは、過去の画像処理にかかる画像を複数選択可能である。この場合、ＭＦＰ１は、設定パラメータ値について、不整合が生じていないかどうかチェックし、不整合が生じた場合には、ユーザに対し、その項目について再設定を促す。また、選択された複数の画像のそれぞれに対応する設定パラメータ値間で、同一の設定項目についてパラメータ値が異なる場合には、ＭＦＰ１は、自動的に、合成処理をして当該設定項目に対するパラメータ値を決定する。また、合成処理をする設定項目をユーザに選択させることも可能である（選択的合成処理）。ユーザは、カスタム設定スキャンの設定パラメータの設定操作において、選択したい画像が複数ある場合においても、迅速かつ容易に、複数の画像を選択することができる。ＭＦＰ１は、選択された複数の画像にかかる設定を比較し、適宜、再設定を促しつつ、両画像に対応付けられた設定を、適切に合成して設定パラメータを決定する。
【０１２３】
（第３の実施の形態）
次に、本発明にかかる第３の実施の形態について説明する。
本発明にかかる第３の実施の形態もまた、本発明にかかる画像処理条件設定装置を備えた画像処理装置である。第３の実施の形態においても、画像処理装置は、スキャナ機能を備えたデジタル複合機（ＭＦＰ）である。
【０１２４】
第３の実施の形態による画像処理条件設定装置を備えた画像処理装置においては、画像処理の１つであるスキャン処理の実行に際し、ユーザが選択した「カテゴリ」あるいは過去に行った画像処理にかかる画像について設定されている画像処理設定パラメータを用いて原稿をスキャンし画像データを生成することの妥当性について、過去に行った画像処理にかかる画像の画質および原稿画像の画質に基づいて、判定する。
【０１２５】
＜画像処理条件設定装置を備えた画像処理装置のハードウェア構成＞
第３の実施の形態によるＭＦＰのハードウェア構成は、第１および第２の実施の形態によるＭＦＰ１と同様でよいため、その説明を省略する。
【０１２６】
＜画像処理条件設定装置を備えた画像処理装置の機能的構成＞
第３の実施の形態によるＭＦＰの機能的構成も、第１および第２の実施の形態によるＭＦＰ１と同様でよいため、その説明を省略する。なお、第１および第２の実施の形態と異なる作用をする機能部ロックについては、以下で、処理の流れに沿って詳細に説明する。
【０１２７】
＜第３の実施の形態における処理の流れ＞
以下、本発明にかかる第３の実施の形態による画像処理条件設定装置を備えた画像処理装置における画像処理の流れについて説明する。以下、画像処理の例として、スキャンジョブの実行例を採りあげる。しかしながら、本発明は、画像処理を、スキャンジョブに限定することを意図しない。
【０１２８】
図２２Ａおよび図２２Ｂは、第３の実施の形態による画像処理の流れを示すフローチャートである。第１の実施の形態による画像処理の流れにおける工程と同様の内容を示す工程については、同様の参照数字を付している。これら、既に説明した工程については、その説明を適宜省略する。
【０１２９】
ステップＳ１０１からステップＳ１０７に至る処理の流れは、第１および第２の実施の形態における画像処理の流れと同様であるため、説明を省略する。
【０１３０】
ステップＳ３０１において、ＭＦＰ１のスキャナ部２１は、ドキュメントフィーダ部２３に載置された原稿を、プレスキャンし、当該原稿の画像情報を取得する。
ステップＳ３０１において、ＭＦＰ１の画像処理部７３および画像処理パラメータ設定部７７は、制御部７１の制御の下、協働して原稿の画像情報の特性（サイズ、カラー／モノクロ、テキスト、グラフ等）を評価し、最適と考えられる設定を導出する。この導出過程は、自動設定スキャンモードにおける設定の導出と同等の過程でよい。
ステップＳ３０１との関連において、ＭＦＰ１は、原稿画像についてのノーマル画像データを保持する。
【０１３１】
ステップＳ３０３において、ＭＦＰ１の画像処理部７３および画像処理パラメータ設定部７７は、制御部７１の制御の下、ステップＳ１０７において選択された画像のノーマル画像データと、選択された画像の（処理された）画像データを呼び出す。
本実施の形態においては、画像データ保持部８１は、画像処理部７３において処理され生成された画像データと、当該処理された画像データに対応する、画像データを生成するのに必要な最小限の画像処理のみが施されて生成されたノーマル画像データ保持する。
【０１３２】
後述のステップＳ３０５と関連し、図２３は、カスタム設定スキャンにおいて設定可能な項目および各項目のパラメータ値として可能な値を示す表である。
図２３を参照すれば、設定項目は、基本設定項目、画像スキャン項目、画質調整項目の３項目に区分されていることがわかる。本実施の形態においては、ＭＦＰ１は、基本設定項目に含まれる設定項目については、原則として、ステップＳ１０７においてユーザが選択した画像にかかる設定内容が、これから行うスキャンの設定値として設定する。基本設定項目において原稿との不適合が見つかった場合には、ＭＦＰ１は、その不適合にかかる項目のパラメータ値についてユーザに警告を発し、再設定を促す。
画像スキャン項目については、ＭＦＰ１は、原則として、ステップＳ１０７においてユーザが選択した画像にかかる設定内容のうち、カラー／モノクロの設定と、原稿サイズの設定とが、ステップＳ３０１で求めた原稿の画像情報の特性と一致している場合、ステップＳ１０７においてユーザが選択した画像にかかる設定内容を、これから行うスキャンの設定値として設定する。そうでない場合、ＭＦＰ１は、ステップＳ３０５から処理をステップＳ３０７へ向かって分岐させ、ユーザに対し、設定項目の再設定を促す。
画質調整項目については、ＭＦＰ１は、ステップＳ３１５、Ｓ３１７、Ｓ３１９、Ｓ３２１、Ｓ３２３、Ｓ３２５の処理を経て、設定値を決定する。
【０１３３】
ステップＳ３０５において、ＭＦＰ１の画像処理パラメータ設定部７７は、ステップＳ１０７において選択された画像に関連付けて保持されているカスタム設定スキャン設定パラメータの画像スキャン項目の値と、ステップＳ３０１において自動的に導出された設定パラメータの画像スキャン項目の値とを比較し、各項目について不整合が生じていないか、判定する。
ＭＦＰ１が、ステップＳ１０７において選択されたカスタム設定スキャン設定パラメータの画像スキャン項目の値と、ステップＳ３０１において自動的に導出された設定パラメータの画像スキャン項目の値との間で各項目について不整合が生じている、と判定した場合（ステップＳ３０５における「ＹＥＳ」）、処理は、ステップＳ３０７へ移行する。
ＭＦＰ１が、ステップＳ１０７において選択されたカスタム設定スキャン設定パラメータの画像スキャン項目の値と、ステップＳ３０１において自動的に導出された設定パラメータの画像スキャン項目の値との間で各項目について不整合が生じていない、と判定した場合（ステップＳ３０５における「ＮＯ」）、処理は、ステップＳ３１１へ移行する。
【０１３４】
ステップＳ３０７において、ＭＦＰ１は、不整合が生じている設定項目およびその値表示部１３に表示させる。
【０１３５】
ステップＳ３０９において、ＭＦＰ１は、ユーザからの当該設定項目の値の入力を受け付ける。
【０１３６】
ステップＳ３１１において、ＭＦＰ１は、ステップＳ１０７において選択された画像に対応するカスタム設定スキャンの設定パラメータの画像スキャン項目（図２３）のパラメータ値を、これから行うカスタム設定スキャンの設定とする。
【０１３７】
ステップＳ３１３において、ＭＦＰ１は、ステップＳ１０７において選択された画像のノーマル画像データと、画像処理された画像データとを呼び出し、両者の対応する所定領域について、所定の処理を行い、処理の前後における画質の変化を定量化する。
【０１３８】
ステップＳ３１３およびステップＳ３１５（後述）と関連し、図２４は、画像の所定領域の画質（ここでは、例としてコントラストおよび濃度）を定量し、処理の前後における画質の変化をチャート化した図である。Ｐ１は、ステップＳ１０７において選択された画像のノーマル画像データの所定領域のコントラストおよび濃度によって規定される点である。Ｐ２は、ステップＳ１０７において選択された（処理された）画像の所定領域のコントラストおよび濃度によって規定される点である。ベクトルＶ１２は、当該画像にかかる画像処理の前後における画質の変化を示すベクトルである。
【０１３９】
ステップＳ３１５において、ＭＦＰ１は、原稿のノーマル画像データから、当該ノーマル画像データに対してステップＳ１０７において選択された画像に関連付けられ保持されている設定で処理をした画像データを生成する。
そして、ＭＦＰ１は、ステップＳ１０７において選択された画像の処理前後の所定領域および原稿の画像の処理前後の所定領域の画質を示す量を定量化する。
図２４を参照すれば、Ｐ３は、原稿画像の処理前の所定領域の画質によって規定される点であり、Ｐ４は、原稿画像の処理後の所定領域の画質によって規定される点である。
【０１４０】
ステップＳ３１７において、ＭＦＰ１は、原稿画像の処理後の画質特徴量（図２４におけるＰ４）が、選択された画像の処理後の画質特徴量（図２４におけるＰ２）と同様の画質に帰着しているか、否かを判定する。当該判定は、Ｐ４が、Ｐ２から所定距離（図２４におけるＰ２を中心とした半径ｄの円Ｃ）に存在するか、否か、といった所定の判定規則に則って行われる。ここでは、コントラストおよび濃度について例示したが、ＭＦＰ１は、同様の判定を、他の画質調整項目（シャープネス、トーンカーブ、地色除去、カラーバランス）（図２３）についても行う。
ＭＦＰ１が、原稿画像の処理後の画質は選択された画像の処理後の画質と同様の画質に帰着している、と判定した場合（ステップＳ３１７における「ＹＥＳ」）、処理は、ステップＳ３２７へ移行する。
ＭＦＰ１が、原稿画像の処理後の画質は選択された画像の処理後の画質と同様の画質に帰着していない、と判定した場合（ステップＳ３１７における「ＮＯ」）、処理は、ステップＳ３１９へ移行する。
【０１４１】
ステップＳ３１９においては、ＭＦＰ１は、不整合が生じている設定項目およびその値表示部１３に表示させる。
【０１４２】
ステップＳ３２１において、ＭＦＰ１は、ユーザに対し、原稿画像を処理するために最適と思われる画像カテゴリを、ステップＳ３０１における原稿画像評価に基づいて決定し、当該画像カテゴリに含まれる画像をインデックス表示する。
【０１４３】
ステップＳ３２３において、ＭＦＰ１は、ユーザからの画像の選択を受け付ける。
【０１４４】
ステップＳ３２５において、ＭＦＰ１は、ステップＳ３２３において選択された画像に関連付けて保持されているカスタム設定スキャン設定データの、ステップＳ３１７の不整合判定に関係する設定項目のパラメータ値を現在のパラメータ値と置き換え、選択された画像のノーマル画像データ、原稿のノーマル画像データを画像処理し、再度、ステップＳ３１７に戻って、現在のカスタム設定スキャン設定データを原稿に対する画像処理に用いることの妥当性を判断する。
【０１４５】
ステップＳ３２７においては、現在のカスタム設定スキャン設定データ（画質調整項目（図２３））を、これから行うカスタム設定スキャンのパラメータ値に設定する。
【０１４６】
ステップＳ１１３、Ｓ１１５、Ｓ１１７、Ｓ１１９、〜、ステップＳ１３３までの処理は、第１の実施の形態における対応するステップでの処理と同様である。
【０１４７】
このように、第３の実施の形態による画像処理条件設定装置を備えた画像処理装置においては、画像処理の１つであるスキャン処理の実行に際し、ユーザが選択した「カテゴリ」あるいは過去に行った画像処理にかかる画像について設定されている画像処理設定パラメータを用いて原稿をスキャンし画像データを生成することの妥当性について、過去に行った画像処理にかかる画像の画質および原稿画像の画質に基づいて判定する。そのため、ユーザが選択した画像にかかる画像処理の設定が、原稿画像に対する画像処理に不適である場合には、ユーザは、再度画像を選択する機会を与えられるため、ユーザは、不適切な設定で画像処理を実行することがない。
例えば、原稿が人物を主題に据えた写真である場合に、ユーザが風景写真を選択した様な場合、シャープネスは、人物写真にとってはやや堅い設定になってしまう。また、人物の髪の毛の再現性が乏しくなってしまうこともある。このような場合に、ＭＦＰ１は、ユーザに対し画像の再選択を促し、ユーザは、原稿を画像処理するのに適切な設定と関連付けられた画像を再選択することができる。
【０１４８】
（第４の実施の形態）
本発明にかかる第４の実施の形態もまた、本発明にかかる画像処理条件設定装置を備えた画像処理装置である。第４の実施の形態においては、本発明を印刷機能に適用する例が示される。なお、第４の実施の形態は、第１の実施の形態と対応付けて、本発明にかかる画像処理装置を説明しているが、第２および第３の実施の形態に含まれる特徴的機能を、印刷処理に適用することも当然に可能である。
本実施の形態による画像処理装置における印刷処理においては、ユーザは、過去に行った印刷処理において実施した効果を、これから行う印刷処理に適用することが容易になる。
【０１４９】
＜画像処理条件設定装置を備えた画像処理装置のハードウェア構成＞
第４の実施の形態によるＭＦＰのハードウェア構成は、第１の実施の形態によるＭＦＰ１と同様でよいため、その説明を省略する。
【０１５０】
＜画像処理条件設定装置を備えた画像処理装置の機能的構成＞
第４の実施の形態によるＭＦＰの機能的構成も、第１の実施の形態によるＭＦＰ１と同様でよいため、その説明を省略する。
【０１５１】
＜第４の実施の形態における処理の流れ＞
以下、本発明にかかる第４の実施の形態による画像処理条件設定装置を備えた画像処理装置における画像印刷処理の流れについて説明する。
【０１５２】
図２５は、第４の実施の形態におけるＭＦＰ１の処理の流れを示すフローチャートである。
【０１５３】
ステップＳ４０１において、ＭＦＰ１は、ユーザに対し、カスタム設定プリントモードとしてプリントジョブを実行するか、あるいは、自動設定プリントモードとしてプリントジョブを実行するか、の選択を促し、ユーザによる当該選択の入力にもとづいて以降の処理を分岐させる。
【０１５４】
ステップＳ４０３において、ＭＦＰ１は、ユーザに対し、カスタム設定ための一連の操作において、過去に実施したカスタム設定プリントモードによるプリントジョブで実施された効果を付加した画像を過去の画像処理例として参照してカスタム設定を行うか、否か、の選択を促す。
【０１５５】
ステップＳ４０５において、ＭＦＰ１の表示画面構成部９１は、ボックス（画像データ保持部８１）に保持されている過去のカスタム設定プリントにかかる画像を、表示部１３に表示するための一連の処理を実行する。
【０１５６】
図２６は、ステップＳ４０５の詳細を示すフローチャートである。ステップＳ４０５は、ステップＳ１０５（図５）の詳細と、対応付けることで容易に理解される。ここでは、その詳細についての説明を省略する。
【０１５７】
ステップＳ４０７以降の処理は、図５を参照して説明したステップＳ１０７以降の処理と対応付ければ詳細な説明を要さずに当業者に理解される事柄である。なお、ステップＳ４１５詳細については、別に図２７に示す。
【０１５８】
図２７を参照すれば容易に判ることだが、ステップＳ４１５においては、対応するステップＳ１１５の詳細（図１７）と較べ、プレビュー画像を表示するステップが追加されている。その余のステップについては、ステップＳ４１５は、ステップＳ１１５の各ステップと対応する。
【０１５９】
このように、本発明にかかる画像処理条件設定装置を備えた画像処理装置（ＭＦＰ１）は、スキャンジョブのみならず、他の処理、例えば、印刷処理を伴うジョブにおいても、有用である。
【０１６０】
なお、上述した各実施の形態において、必ずしもフローチャートに示して説明した工程の全てを実施する必要はない。例えば、図５等におけるステップＳ１０１においてカスタム設定スキャンが選択されてステップＳ１０３以降の工程が実施される場合において、ステップＳ１０３（過去のカスタムスキャン設定を利用するか否かの判断ステップ）の工程は省略してもよい。つまり、ユーザは、過去のカスタムスキャン設定を利用するか否かについての問い合わせを受けることなしに、過去のカスタムスキャン画像の提示を受けることができるように、本発明を構成してもよい。
【産業上の利用可能性】
【０１６１】
本発明は、ユーザビリティに優れた画像処理条件設定装置および該画像処理条件設定装置を備えた画像処理装置であり、有用性に富んでいる。
【図面の簡単な説明】
【０１６２】
【図１】ＭＦＰ１の斜視図
【図２】スキャナ部２１の概念図
【図３】ＭＦＰ１のハードウェア構成を示すブロック図
【図４】ＭＦＰ１の機能構成を示すブロック図
【図５】第１の実施の形態における処理の流れを示すフローチャート
【図６】カスタムスキャン画像表示処理の詳細を示すフローチャート
【図７】最上位画像カテゴリの表示例
【図８】最上位画像カテゴリの表示例
【図９】画像カテゴリ（サブカテゴリ）の表示例
【図１０】画像カテゴリ（サブカテゴリ）の表示例
【図１１】画像カテゴリ（サブカテゴリ）の表示例
【図１２】画像カテゴリ（サブカテゴリ）の表示例
【図１３】画像カテゴリ（サブカテゴリ）の表示例
【図１４】画像カテゴリ（サブカテゴリ）の表示例
【図１５】画像カテゴリ（サブカテゴリ）の表示例
【図１６】画像カテゴリ（サブカテゴリ）の表示例
【図１７】カスタムスキャン設定編集処理の詳細を示すフローチャート
【図１８】ユーザインタフェース部６５の構成例
【図１９】ユーザインタフェース部６５の構成例
【図２０】ユーザインタフェース部６５の構成例
【図２１Ａ】第２の実施の形態における処理の流れを示すフローチャート
【図２１Ｂ】第２の実施の形態における処理の流れを示すフローチャート
【図２２Ａ】第３の実施の形態における処理の流れを示すフローチャート
【図２２Ｂ】第３の実施の形態における処理の流れを示すフローチャート
【図２３】カスタム設定における設定項目および可能な値の表
【図２４】画像処理妥当性評価の例を示すチャート
【図２５】第４の実施の形態における処理の流れを示すフローチャート
【図２６】カスタムプリント画像表示処理の詳細を示すフローチャート
【図２７】カスタムプリント設定編集処理の詳細を示すフローチャート
【符号の説明】
【０１６３】
１  ・・・  ＭＦＰ
１１  ・・・  入力部
１３  ・・・  表示部
１５  ・・・  画像処理回路および記憶装置
１７  ・・・  プリンタ部
１９  ・・・  通信インタフェース部
２１  ・・・  スキャナ部
２３  ・・・  ドキュメントフィーダ部
２５  ・・・  排紙トレイ
２７  ・・・  フィニッシャ部
３１  ・・・  表面用撮像素子
３３  ・・・  背面用撮像素子
４１  ・・・  ＣＰＵ
４３  ・・・  ＲＯＭ
４５  ・・・  ＲＡＭ
４７  ・・・  主記憶装置
４９  ・・・  コンピュータ
５１  ・・・  ＨＤＤ
５３  ・・・  カードリーダ
５５  ・・・  メモリーカード
５７  ・・・  補助記憶装置（データ保持部）
５９  ・・・  スキャナ部
６１  ・・・  給紙部
６５  ・・・  ユーザインタフェース
７１  ・・・  制御部
７３  ・・・  画像処理部
７５  ・・・  画像カテゴリ判別部
７７  ・・・  画像処理パラメータ設定部
９１  ・・・  表示画面構成部
９３  ・・・  画像選択頻度計数部
【図１】
2010074478.tif 000003
【図２】
2010074478.tif 000004
【図３】
2010074478.tif 000005
【図４】
2010074478.tif 000006
【図５】
2010074478.tif 000007
【図６】
2010074478.tif 000008
【図７】
2010074478.tif 000009
【図８】
2010074478.tif 000010
【図９】
2010074478.tif 000011
【図１０】
2010074478.tif 000012
【図１１】
2010074478.tif 000013
【図１２】
2010074478.tif 000014
【図１３】
2010074478.tif 000015
【図１４】
2010074478.tif 000016
【図１５】
2010074478.tif 000017
【図１６】
2010074478.tif 000018
【図１７】
2010074478.tif 000019
【図１８】
2010074478.tif 000020
【図１９】
2010074478.tif 000021
【図２０】
2010074478.tif 000022
【図２１Ａ】
2010074478.tif 000023
【図２１Ｂ】
2010074478.tif 000024
【図２２Ａ】
2010074478.tif 000025
【図２２Ｂ】
2010074478.tif 000026
【図２３】
2010074478.tif 000027
【図２４】
2010074478.tif 000028
【図２５】
2010074478.tif 000029
【図２６】
2010074478.tif 000030
【図２７】
2010074478.tif 000031